(57)【要約】【課題】  撮像装置において姿勢を示す情報を表示する際に、撮像装置の動作状態を考慮しながら、適切な姿勢情報を表示することを目的とする。【解決手段】  撮像手段を有する撮像装置であって、撮像手段により連続的に撮影した連続画像を記録媒体に記録するように制御する記録制御手段と、撮像装置の姿勢を検知する検知手段と、姿勢検知手段の検知結果に基づいて、撮像装置の姿勢を示す姿勢情報を表示手段に表示するように制御する表示制御手段を有し、表示制御手段は、連続画像の撮影中は、撮影装置の姿勢が変化したとしても、表示手段に表示する姿勢情報は変更しないことを特徴とする。【選択図】  図４
2020166198.tif 000002
【特許請求の範囲】
【請求項１】
撮像手段を有する撮像装置であって、
前記撮像手段により連続的に撮影した連続画像を記録媒体に記録するように制御する記録制御手段と、
前記撮像装置の姿勢を検知する検知手段と、
前記姿勢検知手段の検知結果に基づいて、前記撮像装置の姿勢を示す姿勢情報を表示手段に表示するように制御する表示制御手段を有し、
前記表示制御手段は、前記連続画像の撮影中は、前記撮影装置の姿勢が変化したとしても、前記表示手段に表示する姿勢情報は変更しないことを特徴とする撮像装置。
【請求項２】
前記連続画像は動画であり、
前記記録制御手段は、前記撮像手段により撮影した動画と共に１つの姿勢情報を記録するように制御することを特徴とする請求項１に記載の撮像装置。
【請求項３】
前記記録制御手段は、前記撮像手段により撮像した動画を動画ファイルとして記録し、
前記動画ファイルには、姿勢情報を１つだけ記録可能であることを特徴とする請求項２に記載の撮像装置。
【請求項４】
前記記録制御手段は、前記動画を撮影開始したときの前記撮像装置の姿勢を示す姿勢情報を前記動画ファイルに記録することを特徴とする請求項３に記載の撮像装置。
【請求項５】
前記連続画像は、ユーザの撮影開始指示に応じて撮影を開始する動画であり、
前記表示制御手段は、前記動画の撮影中は、前記撮影装置の姿勢が変化したとしても、前記表示手段に表示する姿勢情報は変更せず、前記動画の撮影中でない動画撮影待機中は、前記姿勢検知手段の検知結果に応じた前記撮影装置の姿勢を示す姿勢情報を表示するように制御することを特徴とする請求項１に記載の撮像装置。
【請求項６】
前記記録制御手段は、前記撮影開始指示に応じて撮影を開始した動画を新たな動画ファイルとして前記記録媒体に記録する第１の記録モードと、前記撮像手段により撮影した動画を前記記録媒体に記録済みの動画ファイルに追記して記録する第２の記録モードと、を有し、
前記表示制御手段は、前記動画撮影待機中において、前記第１の記録モードの場合は、前記姿勢検知手段の検知結果に応じた前記撮影装置の姿勢を示す姿勢情報を表示するように制御し、前記第２の記録モードにおいて前記記録媒体に記録済みの動画ファイルに追記して記録する場合は、前記姿勢検知手段の検知結果に応じた前記撮影装置の姿勢を示す情報を表示しないように制御することを特徴とする請求項５に記載の撮像装置。
【請求項７】
前記表示制御手段は、前記第２の記録モードの場合は、前記動画を追記する前記記録媒体に記録済みの動画ファイルに記録されている姿勢情報を前記表示手段に表示するように制御することを特徴とする請求項１に記載の撮像装置。
【請求項８】
前記表示制御手段は、前記連続画像の撮影中に前記撮影装置の姿勢が変化したことにより前記検知手段により検知した姿勢と異なる姿勢情報を前記表示手段に表示する場合、前記検知手段により検知した姿勢を示す姿勢情報を表示するときとは異なる表示形態で前記姿勢情報を表示するように制御することを特徴とする請求項１に記載の撮像装置。
【請求項９】
前記表示制御手段は、前記連続画像の撮影中に前記撮影装置の姿勢が変化したことにより前記検知手段により検知した姿勢と異なる姿勢情報を前記表示手段に表示する場合、前記検知手段により検知した姿勢を示す姿勢情報を表示するときとは異なる色で前記姿勢情報を表示するように制御することを特徴とする請求項１に記載の撮像装置。
【請求項１０】
前記表示制御手段は、第１の撮影モードで連続画像を撮影中は、前記撮影装置の姿勢が変化したとしても、前記表示手段に表示する姿勢情報は変更しないように制御し、第２の撮影モードで連続画像を撮影中は、前記撮影装置の姿勢が変化したことに応じて、変化後の姿勢を示す姿勢情報を表示するように制御することを特徴とする請求項１に記載の撮像装置。
【請求項１１】
前記第１の撮影モードは動画撮影モードであり、前記第２の撮影モードは静止画の連写撮影モードであることを特徴とする請求項８に記載の撮像装置。
【請求項１２】
前記撮像手段により撮影した動画を記録できない場合、前記表示制御手段は前記姿勢情報を非表示にすることを特徴とする請求項１に記載の撮像装置。
【請求項１３】
前記検知手段は、前記撮像装置の姿勢が０度、９０度、１８０度、２７０度のいずれかであること検知することを特徴とする請求項１に記載の撮像装置。
【請求項１４】
撮像手段により連続的に撮影した連続画像を記録媒体に記録するように制御する記録制御工程と、
前記撮像装置の姿勢を取得する姿勢取得手段と、
前記姿勢取得手段により取得した前記撮像装置の姿勢に基づいて、前記撮像装置の姿勢を示す姿勢情報を表示手段に表示するように制御する表示制御工程と、を有し、
前記表示制御工程では、前記連続画像の撮影中は、前記撮影装置の姿勢が変化したとしても、前記表示手段に表示する姿勢情報は変更しないことを特徴とする撮像装置の制御方法。
【請求項１５】
請求項１４に記載の撮像装置の制御方法をコンピュータに実行させるためのプログラム。
【発明の詳細な説明】
【技術分野】
【０００１】
本発明は、デジタルカメラ等の撮像装置に関するものである。
【背景技術】
【０００２】
デジタルカメラで静止画や動画を液晶モニタ２７に再生する機能において、撮影した状況により近づけて再生画像を表示するために、撮影時のカメラの姿勢に合わせて画像を９０度、１８０度、２７０度に回転して表示する機能が知らせている。
【０００３】
この機能を実現するためには再生時に撮影時の姿勢情報を取得する必要があるため、撮影時に作成する画像ファイルにカメラの姿勢情報を付加する必要がある。また、回転角度は９０度きざみであって、カメラを斜めや真下に向けた姿勢にした場合にどの角度で記憶されるかユーザにわかりくいため、カメラの姿勢情報をアイコンで表示する機能が知られている。
【０００４】
一方、姿勢や撮影日時などの付加情報は画像ファイルに１つだけ記録されることが一般的である。
【０００５】
特許文献１では姿勢情報の変化に応じて記録する動画データのファイルを分割して姿勢情報を記録することにより、より正しい姿勢で再生する技術が開示されている。
【先行技術文献】
【特許文献】
【０００６】
【特許文献１】特開２００５−３２８２７９号公報
【発明の概要】
【発明が解決しようとする課題】
【０００７】
しかし、特許文献１では動画ファイルを分割しているため、再生装置によっては分割した複数の動画ファイルを連続して再生できない場合があり、安易に分割しないほうが好ましい。
【０００８】
また、撮影中にカメラの姿勢が変わった際、カメラの姿勢情報を表示すると動画ファイルに記憶される姿勢情報がわからなくなってしまう。
【０００９】
そこで、本発明は、撮像装置において姿勢を示す情報を表示する際に、撮像装置の動作状態を考慮しながら、適切な姿勢情報を表示することを目的とする。
【課題を解決するための手段】
【００１０】
上述の課題を解決するため、本発明の撮像装置は、
撮像手段を有する撮像装置であって、撮像手段により連続的に撮影した連続画像を記録媒体に記録するように制御する記録制御手段と、撮像装置の姿勢を検知する検知手段と、姿勢検知手段の検知結果に基づいて、撮像装置の姿勢を示す姿勢情報を表示手段に表示するように制御する表示制御手段を有し、表示制御手段は、連続画像の撮影中は、撮影装置の姿勢が変化したとしても、表示手段に表示する姿勢情報は変更しないことを特徴とする。
【発明の効果】
【００１１】
本発明によれば、撮像装置において姿勢を示す情報を表示する際に、撮像装置の動作状態に応じた、適切な姿勢情報を表示することができる。
【図面の簡単な説明】
【００１２】
【図１】本発明の撮像装置の一例としてのカメラの外観図である。
【図２】カメラ１００の構成例を示すブロック図である。
【図３】カメラの姿勢表示の一例である。
【図４】カメラにおける姿勢表示の処理のフローチャートである。
【発明を実施するための形態】
【００１３】
以下、図面を参照して本発明の好適な実施形態を説明する。
【００１４】
図１に本発明の撮像装置の一例としてのカメラ１００の外観図を示す。液晶モニタ２７は画像や各種情報を表示する表示部である。シャッターボタン６１は静止画撮影の指示を行うための操作部である。動画記録ボタン６５は動画撮影の開始と終了の指示を行うための操作部である。モード切替ボタン６０は各種モードを切り替えるための操作部である。静止画モードと動画モードを切り替える操作もモード切替ボタン６０により設定する。操作部７０はユーザからの各種操作を受け付ける各種スイッチ、ボタン、ダイヤル等の操作部材より成る操作部である。電源スイッチ７４は、電源オン、電源オフを切り替えるための押しボタンである。記録媒体２００はメモリカードやハードディスク等の記録媒体である。記録媒体２００は、カメラ１００との通信が可能となり、記録や再生が可能となる。
【００１５】
図２は、本実施形態によるカメラ１００の構成例を示すブロック図である。
【００１６】
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、カメラ１００の、撮影レンズ１０３を含む撮像系を覆うことにより、撮影レンズ１０３、シャッター１０１、撮像部２２を含む撮像系の汚れや破損を防止する。
【００１７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、液晶モニタ２７に表示するための画像データを格納する。メモリ３２は、所定枚数の静止画像や所定時間の動画像および音声を格納するのに十分な記憶容量を備えている。
【００１９】
また、メモリ３２は画像表示用のメモリ（ビデオメモリ）を兼ねている。Ｄ／Ａ変換器１３は、メモリ３２に格納されている画像表示用のデータをアナログ信号に変換して液晶モニタ２７に供給する。こうして、メモリ３２に書き込まれた表示用の画像データはＤ／Ａ変換器１３を介して液晶モニタ２７により表示される。液晶モニタ２７は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、液晶モニタ２７に逐次転送して表示することで、スルー画像表示（ライブビュー表示）を行える。
【００２０】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムを含む。
【００２１】
システム制御部５０は、カメラ１００全体を制御し、１つ以上のプロセッサから構成される。システム制御部５０は、前述した不揮発性メモリ５６に記録されたプログラム読み出して、読み出したプリグラムを実行することで、各ブロックを制御し、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３等を制御することにより表示制御も行う。
【００２２】
システムタイマー５３は各種制御に用いる時間や、内蔵された時計の時間を計測する計時部である。
【００２３】
モード切替ボタン６０、シャッターボタン６１、動画記録ボタン６５、操作部７０はシステム制御部５０に各種の動作指示を入力するための操作手段である。
【００２４】
モード切替ボタン６０は、システム制御部５０の動作モードを静止画記録モード、動画撮影モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。動画撮影モードに含まれるモードとして、オート撮影モード、マニュアルモード、プログラムＡＥモード、カスタムモード等がある。第１シャッタースイッチ６２は、カメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２５】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２６】
操作部７０の各操作部材は、液晶モニタ２７等に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が液晶モニタ２７等に表示される。利用者は、液晶モニタ２７等に表示されたメニュー画面と、上下左右の４方向ボタンやＳＥＴボタンとを用いて直感的に各種設定を行うことができる。
【００２７】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２８】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２９】
通信部５４は、無線または有線ケーブルによって接続し、映像信号や音声信号等の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００３０】
姿勢検知部５５は重力方向に対するカメラ１００の姿勢が０度、９０度、１８０度、２７０度のいずれかであることを検知し、検知した姿勢をシステム制御部５０に通知する。システム制御部５０は、姿勢検知部５５で検知された姿勢に基づいて、撮像部２２で撮影された画像が、カメラ１００を横に構えて撮影された画像であるか、縦に構えて撮影された画像なのかを判別可能である。システム制御部５０は、姿勢検知部５５で検知結果の姿勢に応じた向き情報を撮像部２２で撮像された画像の画像ファイルに付加したり、画像を回転して記録したり、検出した姿勢に応じた向き情報を液晶モニタ２７に表示したりすることが可能である。姿勢検知部５５としては、加速度センサやジャイロセンサーなどを用いることができる。
【００３１】
カメラ１００は、モード切替スイッチ６０により静止画撮影モードが設定されている場合は、システム制御部５０は、静止画撮影動作を実行する。静止画撮影モードでは、シャッターボタン６１が半押し操作されると第１シャッタースイッチ信号ＳＷ１が発生し、システム制御部５０は、撮影準備処理（ＡＦ処理、ＡＥ処理、ＡＷＢ処理、ＥＦ処理等）の動作を実行する。そして、シャッターボタン６１が全押し操作されると第２シャッタースイッチ信号ＳＷ２が発生し、システム制御部５０により、静止画撮影処理が実行される。静止画撮影処理では、撮像部２２で撮像により得られた信号をＡ／Ｄ変換器２３でデジタルデータ（画像データ）に変換し、画像処理部２４により静止画用の画像処理を実行して、メモリ３２に書き込む。そして、システム制御部５０は、メモリに書き込まれた画像データからＪＰＥＧ等の画像ファイルを生成して、記録媒体Ｉ／Ｆ１８を介して記録媒体２００に記録する。シャッターボタン６１の全押し操作が継続されると、連写撮影モードとなり、シャッターボタン６１の全押しが解除されるまで静止画撮影処理を繰り返し実行して連続的に複数枚の画像（連続画像）を撮影して記録する。
【００３２】
動画撮影モードが設定されている場合は、動画記録ボタン６５が操作されて動画撮影開始指示が入力されると、システム制御部５０は動画撮影処理を開始する。動画撮影処理は、再び動画記録ボタン６５が操作されて動画撮影終了指示が入力されるまで継続される。動画記録ボタン６５ではなく他のボタンを用いて動画撮影開始指示、動画撮影終了指示を入力するようにしてもよい。動画撮影処理では、撮像部２２で設定されたフレームレートで連続的に撮像を行い、撮像により得られた信号をＡ／Ｄ変換器２３でデジタルデータに変換して連続画像、つまり動画データを取得する。取得した動画データに対して画像処理部２４により動画用の画像処理を実行して、メモリ３２に書き込む。そして、システム制御部５０は、メモリに書き込まれた複数の連続画像データ（動画データ）からＭＰＥＧ等の動画ファイルを生成して、記録媒体Ｉ／Ｆ１８を介して記録媒体２００に記録する記録制御を行う。記録媒体２００には、動画ファイルの完成を待たずに、処理が完了した動画データから順次記録していく。
【００３３】
また、本実施形態のカメラ１００では、上述の通常の動画撮影モードに加えて、ビデオスナップ撮影モードがある。通常の動画撮影モードは、動画撮影処理毎に新たな動画ファイルを生成して記録する。それに対して、ビデオスナップ撮影モードは、１回の動画撮影で短い４秒の動画を撮影し、記録媒体２００に既に記録されている記録済みの動画ファイルに、新たに撮影した動画データを追記して記録する動画記録モードである。撮影した複数の動画データを１つの動画ファイルに追記して記録することができる。そのため、例えば、１日中ビデオスナップ撮影モードで動画を撮影することにより、１日に撮影した動画データを１つの動画ファイルとして連続して再生することができるようになる。通常の動画撮影モードと、ビデオスナップ撮影モードでは、撮影する動画の長さと、新規の動画ファイルを生成して記録するか、既存の動画ファイルに追記するかの処理が異なっているが、他の処理は共通である。ビデオスナップ撮影モードには、モード切替スイッチ６０で設定できるようにしてもよいし、メニュー画面や機能設定画面において操作部７０を操作することにより設定可能に構成してもよい。
【００３４】
次に図３を参照して、本実施形態のカメラ１００での姿勢情報の表示ついて説明する。
【００３５】
図３（ａ）における３０１、図３（ｂ）における３０２、図３（ｃ）における３０３、図３（ｄ）における３０４、はカメラ１００の姿勢情報の表示例である。
【００３６】
図３（ａ）は、電源スイッチ７４がオンの状態で液晶モニタ２７に表示する撮影設定情報および撮影待機状態の画面の一例である。
【００３７】
図３（ｂ）は、カメラ１００の姿勢が正位置、すなわちシャッターボタン６１が上部にあり、カメラ１００のロール方向の回転が０度の場合のカメラ１００の姿勢と姿勢情報の表示の一例である。ここでは、シャッターボタン６１がカメラ１００の上部にある姿勢を示す姿勢アイコン３０２を表示している。
【００３８】
図３（ｃ）は、シャッターボタン６１がカメラ１００の背面から見て左側にあり、カメラ１００がロール方向に９０度回転した姿勢である場合のカメラ１００の姿勢と姿勢情報の表示の一例である。ここでは、シャッターボタン６１がカメラ１００の左側にある姿勢を示す姿勢アイコン３０３を表示している。
【００３９】
図３（ｄ）は、シャッターボタン６１がカメラ１００の背面から見て右側にあり、カメラ１００がロール方向に２７０度回転した姿勢である場合のカメラ１００の姿勢と姿勢情報の表示の一例である。ここでは、シャッターボタン６１がカメラ１００の右側にある姿勢を示す姿勢アイコン３０４を表示している。
【００４０】
このように、本実施形態では、姿勢アイコン（３０２〜３０４）を液晶モニタ２７に表示することにより、姿勢情報を表示している。本実施形態では、カメラ１００がロール方向に１８０度回転した場合も、姿勢アイコン３０２を表示するものとしたが、姿勢アイコン３０２ではなく、１８０度回転した姿勢状態を示す姿勢アイコンを表示するように背いてもよい。
【００４１】
次に図４〜のフローチャートを用いて、液晶モニタ２７にカメラ１００の姿勢情報（姿勢アイコン）を表示する処理について説明する。なお、この処理は、システム制御部５０が不揮発性メモリ５６から読み出したプログラムに基づいて各ブロックの制御や各種処理を行うことにより実行される。
【００４２】
電源スイッチ７４よりカメラ１００の電源がＯＮとなり、モード切り替えスイッチによりカメラ１００のモードが複数の撮影モードのうちのいずれかに設定されている時に、図４の姿勢情報の表示処理が実行される。再生モードが設定されている時には姿勢情報の表示処理は実行されない。
【００４３】
まず、Ｓ４０１において、システム制御部５０は、縦位置撮影の設定を確認し、縦位置撮影設定がＯＮになっている場合はＳ４０２以降の処理へ進む。縦位置撮影設定がＯＦＦに設定されている場合はＳ４０２以降の処理は実行されず、姿勢情報の表示処理は実行されない。本実施形態のカメラ１００では、縦位置撮影設定がＯＮのときに、撮影した画像データに姿勢情報を付加して記録し、縦位置撮影設定がＯＦＦのときは姿勢情報を記録しない。そのため、縦位置撮影設定がＯＮのときにのみ、姿勢情報の表示を行うようにし、縦位置撮影設定がＯＦＦのときは姿勢情報を非表示にしている。縦位置撮影設定は、メニューの縦位置撮影設定において、操作部７０を操作することにより、設定を変更することができる。なお、縦位置撮影設定がＯＦＦのときだけでなく、記録媒体２００の空き容量がなく、画像の記録が不可能な場合にも、姿勢情報を表示しないようにしてもよい。
【００４４】
次に、Ｓ４０２において、システム制御部５０は、撮影モードが静止画撮影モードと動画撮影モードのどちらであるかを確認し、静止画撮影モードの場合はＳ４０３へ進み、動画撮影モードの場合はＳ４０６に進む。
【００４５】
Ｓ４０３〜Ｓ４０５は静止画撮影モードで、カメラ１００の姿勢情報を液晶モニタ２７に表示する処理であり、Ｓ４０６〜Ｓ４２４は動画撮影モードで、カメラ１００の姿勢情報を液晶モニタ２７に表示する処理である。
【００４６】
静止画撮影モードの場合、Ｓ４０３において、システム制御部５０は、姿勢検知部５５が検出したカメラ１００の姿勢情報を取得する。
【００４７】
そして、Ｓ４０４において、システム制御部５０は、Ｓ４０３で取得したカメラ１００の姿勢情報を示す姿勢アイコンを液晶モニタ２７に〜図３のように表示する。Ｓ４０５では、システム制御部５０は、撮影モードや縦位置撮影設定の設定が変更されたかを判定し、設定が変更された場合は、Ｓ４０１に戻って処理を行う。設定が変更されていない場合は、Ｓ４０３に戻り、姿勢検出（Ｓ４０３）と姿勢情報の表示（Ｓ４０４）の処理を繰り返す。そのため、カメラ１００の姿勢が変化すると液晶モニタ２７に表示される姿勢アイコンも変化し、変化後のカメラ１００の姿勢に応じた姿勢アイコンが表示される。なお、静止画撮影モードでは、連写撮影により連続画像を撮影する場合であっても、Ｓ４０３、Ｓ４０４の処理を実行して、現在のカメラ１００の姿勢情報を表示するようにする。
【００４８】
このこのように、静止画撮影モードでは撮影状態（撮影中または撮影待機中）や、連写撮影か単写撮影（１枚撮影）かにかかわらず、縦位置撮影設定がＯＮの場合は、姿勢検知部５５により検出した現在のカメラ１００の姿勢情報を液晶モニタ２７に表示する。
【００４９】
静止画撮影モードの場合、ます、Ｓ４０６において、システム制御部５０は、ビデオスナップ撮影が設定されているかを判定する。ビデオスナップ撮影が設定されている場合はＳ４０７へ進み、ビデオスナップ撮影が設定されていない通常の動画撮影の場合はＳ４０７へ進む。
【００５０】
通常の動画撮影の場合、まずＳ４０７において、Ｓ４０３と同様に、システム制御部５０は、姿勢検知部５５が検出した現在のカメラ１００の姿勢情報を取得する。そして、Ｓ４０８において、Ｓ４０４と同様に、システム制御部５０は、Ｓ４０３で取得したカメラ１００の姿勢情報を示す姿勢アイコンを液晶モニタ２７に図３のように表示する。
【００５１】
そして、Ｓ４０９で、システム制御部５０は、動画記録ボタン６５が操作されて動画撮影開始指示が入力され、動画撮影処理を開始したかを判定する。動画撮影開始指示が入力されて動画撮影処理を開始した場合、つまり、カメラ１００の動作状態が動画撮影中の状態となる場合は、Ｓ４１０に進む。本フローチャートでは、姿勢情報の表示処理に関する処理のみを記載しているが、動画撮影開始指示が入力されると、システム制御部５０は、前に説明したように動画撮影処理を実行する。Ｓ４０９で、動画撮影開始指示が入力されていないと判定された場合、つまり、カメラ１００の動作状態が動画撮影待機中の状態である場合は、姿勢検出（Ｓ４０３）と姿勢情報の表示（Ｓ４０４）の処理を繰り返す。
【００５２】
動画撮影開始された場合、Ｓ４１０において、Ｓ４０３と同様に、システム制御部５０は、姿勢検知部５５が検出した現在のカメラ１００の姿勢情報を取得する。次に、Ｓ４１１において、システム制御部５０は、Ｓ４１０で取得したカメラ１００の姿勢と、動画撮影開始時点のカメラ１００の姿勢とを比較し、同じ姿勢の場合はＳ４１２へ進む、異なる場合はＳ４１３へ進む。なお、動画撮影開始時の姿勢は、動画撮影処理の開始時に姿勢検知部５５により検出した姿勢であり、この動画撮影開始時の姿勢の情報は、メモリ３２に保持しておく。また、本実施形態では、１つの動画ファイルに姿勢情報を１つだけ記録するため、動画撮影開始時の姿勢情報を、動画撮影処理により生成される動画ファイルに記録する。
【００５３】
Ｓ４１２において、システム制御部５０は、液晶モニタ２７に表示している姿勢アイコンを〜点灯状態で表示する。動画撮影開始時のカメラ１００の姿勢、つまり動画ファイルに記録される姿勢情報と、現在のカメラ１００の姿勢は同じため、目立つ表示はせずに、通常の点灯表示を行う。
【００５４】
Ｓ４１３では、システム制御部５０は、液晶モニタ２７に表示している姿勢アイコン〜を点滅して表示する。動画撮影開始時のカメラ１００の姿勢、つまり動画ファイルに記録される姿勢情報と、現在のカメラ１００の姿勢が異なっているため、通常とは異なる表示状態で目立つ表示をすることによりユーザに注意を促すことができる。点滅表示ではなく、アイコンの色を変更したり、大きさを変えて表示するなどして、表示形態を異ならせて表示するようにしてもよい。
【００５５】
次に、Ｓ４１４において、システム制御部５０は、再度、動画記録ボタン６５が操作されて動画撮影終了指示が入力されたか、つまり、動画撮影処理を終了するかを判断する。動画撮影処理を終了する場合はＳ４１５へ進み、動画撮影処理を終了しない場合は、Ｓ４１０に戻り、動画撮影処理を終了するまで、Ｓ４１０〜Ｓ４１４の処理を繰り返す。Ｓ４１５では、Ｓ４０５と同様に、システム制御部５０は、撮影モードや縦位置撮影設定の設定が変更されたかを判定する。設定が変更された場合は、Ｓ４０１に戻って処理を行う。設定が変更されていない場合は、Ｓ４０７に戻り、Ｓ４０７〜Ｓ４１５の処理を繰り返す。
【００５６】
このように、通常の動画撮影モードにおいて連続画像として動画を撮影する場合は、動画撮影待機中においては、姿勢検知部５５により検出した現在のカメラ１００の姿勢を示す姿勢アイコンを表示する。そして、動画撮影中は、姿勢検知部５５により検出した姿勢に応じた姿勢アイコンを表示せずに、同じ姿勢を示す姿勢アイコンの表示を継続するようにしている。本実施形態では、動画ファイルには１つの姿勢情報しか記録しない。そのため、動画撮影中は、カメラの姿勢が変化したことを検出したとしても液晶モニタ２７に表示する姿勢情報を変更しないことにより、カメラ１００に表示される姿勢情報と動画ファイルに記録される姿勢情報とが同じになるようにしている。
【００５７】
ビデオスナップ撮影が設定されている場合、Ｓ４１６において、システム制御部５０は、次に撮影するビデオスナップ用の動画データを追記すべきビデオスナップ用の動画ファイルが記録媒体２００に存在するかを確認する。具体的には、ビデオスナップ用の動画ファイルは特定のフォルタに特定のファイル名で記録されるため、記録媒体の特定のフォルタに、ビデオスナップ用のファイル名を有する動画ファイルがあるかを確認する。ビデオスナップ用の動画ファイルが記録媒体２００にある場合はＳ４１９へ進む。そして、ビデオスナップ用の動画ファイルが記録媒体２００にない場合、すなわちビデオスナップ用動画を撮影時に新規にビデオスナップ用の動画ファイルを作成して記録する場合はＳ４１７へ進む。
【００５８】
ビデオスナップ用動画を撮影時に新規にビデオスナップ用の動画ファイルを作成して記録する場合は、通常の動画撮影モードの撮影待機中と同様の方法で姿勢情報の表示を行う。つまり、Ｓ４１７では、まずＳ４０７と同様に、システム制御部５０は、姿勢検知部５５が検出した現在のカメラ１００の姿勢情報を取得する。そして、Ｓ４１８において、Ｓ４０８と同様に、システム制御部５０は、Ｓ４０３で取得したカメラ１００の姿勢情報を示す姿勢アイコンを液晶モニタ２７に図３のように表示する。
【００５９】
ビデオスナップ用の動画ファイルが記録媒体２００にある場合は、Ｓ４１９において、システム制御部５０は、追記するビデオスナップ用の動画ファイルから姿勢情報を読み出す。そして、Ｓ４２０において、Ｓ４１７と同様に、システム制御部５０は、姿勢検知部５５が検出した現在のカメラ１００の姿勢情報を取得する。
【００６０】
次に、Ｓ４２１において、システム制御部５０は、Ｓ４０８で読み出したビデオスナップ用の動画ファイルの姿勢情報と、Ｓ４２０で取得した現在のカメラ１００の姿勢とを比較し、同じ姿勢の場合はＳ４２２へ進み、異なる姿勢の場合はＳ４２３へ進む。
【００６１】
Ｓ４２２において、システム制御部５０は、ビデオスナップ用の動画ファイルから読み出した姿勢情報示す姿勢アイコンを〜液晶モニタ２７に点灯表示する。ビデオスナップ用の動画ファイルに記録されている姿勢情報と現在のカメラ１００の姿勢は同じため、目立つ表示は行わずに、通常の点灯表示を行う。
【００６２】
Ｓ４２３では、システム制御部５０は、ビデオスナップ用の動画ファイルから読み出した姿勢情報示す姿勢アイコンを〜液晶モニタ２７に点滅表示する。ビデオスナップ用の動画ファイルと現在のカメラ１００の姿勢が異なるため、通常とは異なる表示状態で目立つ表示をすることによりユーザに注意を促すことができる。点滅表示ではなく、アイコンの色を変更したり、大きさを変えて表示するなどして、表示形態を異ならせて表示するようにしてもよい。
【００６３】
Ｓ４２４では、Ｓ４０５、Ｓ４１５と同様に、システム制御部５０は、撮影モードや縦位置撮影設定の設定が変更されたかを判定する。設定が変更された場合は、Ｓ４０１に戻って処理を行う。設定が変更されていない場合は、Ｓ４１６に戻り、Ｓ４１６〜Ｓ４２４の処理を繰り返す。
【００６４】
このように、ビデオスナップ撮影においては、基本的には、ビデオスナップ用動画ファイルに記録されている姿勢情報を示す姿勢アイコンを表示する。ただし、ビデオスナップ用動画ファイルが記録媒体２００に未記録であり、次のビデオスナップ撮影によりビデオスナップ用動画ファイルを作成する場合は、姿勢検知部５５により検出した現在のカメラ１００の姿勢を示す姿勢アイコンを表示する。この場合、次のビデオスナップ撮影時のカメラ１００の姿勢情報がビデオスナップ用動画ファイルに記録されるため、現在のカメラ姿勢を表示することにより、ビデオスナップ用動画ファイルに記録される姿勢をユーザが把握することができるようになる。
【００６５】
［その他の実施形態］
以上、本発明の好ましい実施例について説明したが、本発明はこれらの実施例に限定されず、その要旨の範囲内で種々の変形及び変更が可能である。
【００６６】
上述の実施形態において、１つの動画ファイルに新たに撮影した複数の動画データを追記するモードの例として、動画撮影モードの一部であるビデオスナップ撮影を説明した。しかし、静止画撮影モードの１つとして、静止画撮影毎に、静止画撮影の前または後の動画を撮影し、１つの動画ファイルに追記していくムービーダイジェストモードを設けてもよい。この記録モードが設定されている場合には、上述のビデオスナップ撮影の場合と同様の姿勢情報の表示処理を行いようにしてもよい。
【００６７】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。また、本発明の機能処理を実現するためのコンピュータプログラム自体も本発明に含まれる。
【００６８】
上述の実施形態の機能を実現するためのコンピュータプログラムを実行する、１つ以上の回路（例えば、ＡＳＩＣ等）、１つ以上のプロセッサ（例えば、ＣＰＵ、ＭＰＵ等）も本発明に含まれる。
【００６９】
プログラムを供給するための記録媒体（コンピュータが読み取り可能な不揮発性記憶媒体）としては、例えば、ハードディスク、磁気テープ等の磁気記録媒体、光／光磁気記憶媒体、不揮発性の半導体メモリでもよい。
【００７０】
また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【図１】
2020166198.tif 000003
【図２】
2020166198.tif 000004
【図３】
2020166198.tif 000005
【図４】
2020166198.tif 000006